(57)【要約】【課題】押下ヘッドおよびステムを押下して内容物を吐出した後に、押下ヘッド等を円滑に上方に復帰させる。【解決手段】容器本体Ｗの口部Ｗ１に装着される装着キャップ２１と、装着キャップに、上方付勢状態で下方移動可能に貫設されたステム１１を有するポンプ２４と、ステムの上端部に装着されるとともに、内容物を吐出する吐出孔１６ａが形成された押下ヘッド１６と、を備え、ポンプは、ステムの上下動に連係する筒状のピストン１４と、ピストンが上下摺動可能に嵌合されたシリンダ１５と、シリンダの下端開口を開閉する弁本体３４を有する下部弁体１８と、を備える吐出器１であって、シリンダの内面に、弁本体が離反可能に載置され、かつ内側がシリンダの下端開口に連通する環状の弁座１２が形成され、弁本体は、片持ち支持されている。【選択図】図１
2019081565.tif 000002
【特許請求の範囲】
【請求項１】
容器本体の口部に装着される装着キャップと、
前記装着キャップに、上方付勢状態で下方移動可能に貫設されたステムを有するポンプと、
前記ステムの上端部に装着されるとともに、内容物を吐出する吐出孔が形成された押下ヘッドと、を備え、
前記ポンプは、
前記ステムの上下動に連係する筒状のピストンと、
前記ピストンが上下摺動可能に嵌合されたシリンダと、
前記シリンダの下端開口を開閉する弁本体を有する下部弁体と、を備える吐出器であって、
前記シリンダの内面に、前記弁本体が離反可能に載置され、かつ内側が前記シリンダの下端開口に連通する環状の弁座が形成され、
前記弁本体は、片持ち支持されていることを特徴とする吐出器。
【発明の詳細な説明】
【技術分野】
【０００１】
本発明は、吐出器に関するものである。
【背景技術】
【０００２】
従来から、容器本体の口部に装着される装着キャップと、装着キャップに、上方付勢状態で下方移動可能に貫設されたステムを有するポンプと、ステムの上端部に装着されるとともに、内容物を吐出する吐出孔が形成された押下ヘッドと、を備え、ポンプは、ステムの上下動に連係する筒状のピストンと、ピストンが上下摺動可能に嵌合されたシリンダと、シリンダの下端開口を開閉する弁本体を有する下部弁体と、を備え、シリンダの内面に、弁本体が離反可能に載置され、かつ内側がシリンダの下端開口に連通する環状の弁座が形成された吐出器が知られている。
この種の吐出器として、例えば下記特許文献１に示されるような、弁本体が、周方向に間隔をあけて配設された連結片に支持され、容器本体内の内容物がシリンダ内に流入する際に、弁本体が、弁座の中心軸線に対してほぼ傾かずに上方に弾性変位する構成が知られている。
【先行技術文献】
【特許文献】
【０００３】
【特許文献１】特開２０１５−２２７１８４号公報
【発明の概要】
【発明が解決しようとする課題】
【０００４】
しかしながら、前記従来の吐出器では、吐出する内容物が例えばトリートメント等の高粘度の場合、特に冬場等の寒冷環境下になると、押下ヘッドおよびステムを押下し内容物を吐出した後に、押下ヘッド等が上方に復帰するのに時間がかかり、例えば、繰り返し押下操作を行っても、所望の量の内容物を吐出することができなかったり、容器本体内の内容物がシリンダ内に流入している途中に、弁本体が弁座に着座したりする等の問題があった。
このような問題を解決するために、弁座の内径、および弁本体の外径を大きくすることが考えられるが、この場合、一般にシリンダの内径は拡げられない分、連結片の長さを短くせざるを得ない。これにより、弁本体の上方に向けた弾性変位量を大きく確保することができず、シリンダ内に流入する内容物に及ぼされる流通抵抗が高くなり、やはり内容物の吐出後に、押下ヘッド等を円滑に上方に復帰させることができない。
【０００５】
本発明は、このような事情を考慮してなされたもので、押下ヘッドおよびステムを押下して内容物を吐出した後に、押下ヘッド等を円滑に上方に復帰させることができる吐出器を提供することを目的とする。
【課題を解決するための手段】
【０００６】
上記課題を解決して、このような目的を達成するために、本発明の吐出器は、容器本体の口部に装着される装着キャップと、前記装着キャップに、上方付勢状態で下方移動可能に貫設されたステムを有するポンプと、前記ステムの上端部に装着されるとともに、内容物を吐出する吐出孔が形成された押下ヘッドと、を備え、前記ポンプは、前記ステムの上下動に連係する筒状のピストンと、前記ピストンが上下摺動可能に嵌合されたシリンダと、前記シリンダの下端開口を開閉する弁本体を有する下部弁体と、を備える吐出器であって、前記シリンダの内面に、前記弁本体が離反可能に載置され、かつ内側が前記シリンダの下端開口に連通する環状の弁座が形成され、前記弁本体は、片持ち支持されていることを特徴とする。
【０００７】
この発明によれば、弁本体が、片持ち支持されているので、容器本体内の内容物がシリンダ内に流入する際に、弁本体が、片持ち支持された一端部回りに上方に向けて回動することとなり、弁本体のうち、弁座の中心軸線を挟む前記一端部の反対側に位置する他端部を、弁座から上方に向けて大きく離反させることが可能になり、シリンダ内に流入する内容物に及ぼされる流通抵抗を抑えることができる。
また、弁本体が、全周にわたって断続的に支持されているのではなく、片持ち支持されていることから、弁本体を支持する部材の寸法が、弁本体の、弁座に対する上方に向けた離反ストロークに及ぼす影響を抑えることが可能になり、シリンダの内径を拡げなくても、この離反ストロークを維持しつつ、弁座の内径および弁本体の外径を大きくすることができる。
以上より、押下ヘッドおよびステムを押下して内容物を吐出した後に、押下ヘッド等を円滑に上方に復帰させることができる。
【発明の効果】
【０００８】
本発明によれば、押下ヘッドおよびステムを押下して内容物を吐出した後に、押下ヘッド等を円滑に上方に復帰させることができる。
【図面の簡単な説明】
【０００９】
【図１】本発明に係る一実施形態として示した吐出器の縦断面図である。
【図２】図１に示す吐出器のＡ−Ａ線矢視断面図である。
【図３】本発明に係る第１変形例として示した吐出器の要部の横断面図である。
【図４】本発明に係る第２変形例として示した吐出器の要部の横断面図である。
【発明を実施するための形態】
【００１０】
以下、図面を参照し、本発明の一実施形態に係る吐出器１について説明する。
本実施形態の吐出器１は、図１に示されるように、容器本体Ｗの口部Ｗ１に装着される装着キャップ２１と、装着キャップ２１に、上方付勢状態で下方移動可能に貫設されたステム１１を有するポンプ２４と、ステム１１の上端部に装着されるとともに、内容物を吐出する吐出孔１６ａが形成された押下ヘッド１６と、下降端位置に位置する押下ヘッド１６が着脱可能に装着され、押下ヘッド１６およびステム１１の上方移動を規制する規制筒２２と、を備える。なお、容器本体Ｗに充填する内容物として、例えば、トリートメント、ボディソープ、ハンドソープ、シャンプー、リンス、およびコンディショナー等が挙げられる。
装着キャップ２１は、環状の天壁部２１ａを備える有頂筒状に形成されている。装着キャップ２１の内周面に、口部Ｗ１に螺着される雌ねじ部が形成されている。
【００１１】
ポンプ２４は、ステム１１の上下動に連係する筒状のピストン１４と、ピストン１４が上下摺動可能に嵌合された摺動筒部１５ａを有するシリンダ１５と、ステム１１の上下動に連係し、ピストン１４の内側に挿通されたピストンガイド１７と、シリンダ１５の下端開口を開閉する弁本体３４を有する下部弁体１８と、を備える。
装着キャップ２１、ステム１１、規制筒２２、ピストン１４、およびシリンダ１５はそれぞれ、共通軸と同軸に配設されている。以下、この共通軸を軸線Ｏといい、軸線Ｏ方向から見て、軸線Ｏに交差する方向を径方向といい、軸線Ｏ回りに周回する方向を周方向という。
【００１２】
ピストン１４は、シリンダ１５の内周面に摺接する外筒２８と、外筒２８の内側に配設された内筒２９と、外筒２８と内筒２９とを全周にわたって連結する環状の連結部２７と、を備える。
連結部２７は、外筒２８および内筒２９それぞれにおける上端部と下端部との間に位置する中間部同士を連結している。内筒２９は、ステム１１の下端部内に上下摺動自在に嵌合されている。
【００１３】
シリンダ１５は、摺動筒部１５ａより下方に位置し、内径が摺動筒部１５ａの内径より小さく、内側に下部弁体１８が配設された収容筒部１５ｂと、収容筒部１５ｂから下方に向けて突出し、かつ収容筒部１５ｂより小径に形成された連結筒部１５ｃと、を備える。
【００１４】
連結筒部１５ｃ内に、下端開口が容器本体Ｗの底部に位置する吸い上げパイプ１５ｅが嵌合されている。
摺動筒部１５ａの上部に径方向の外側に向けて突出するフランジ部１５ｄが全周にわたって形成され、フランジ部１５ｄが、容器本体Ｗの口部Ｗ１の上端開口縁上に配置されている。摺動筒部１５ａのうち、フランジ部１５ｄより上方に位置する上端部は、装着キャップ２１の天壁部２１ａの内側に挿通されている。フランジ部１５ｄの上面に、装着キャップ２１の天壁部２１ａが配置されている。
【００１５】
シリンダ１５には、径方向に開口し、容器本体Ｗ内とシリンダ１５内とを連通する導入孔２０が形成されている。図示の例では、導入孔２０は、摺動筒部１５ａの上部のうち、フランジ部１５ｄより下方に位置する部分に形成されている。導入孔２０は、押下ヘッド１６およびステム１１が上昇端位置に位置する待機状態で、外筒２８の外周面により閉塞される。図示の例では、外筒２８における上端部および下端部にそれぞれ、径方向の外側に向けて膨出する膨出部が形成されており、前述の待機状態で、導入孔２０が、外筒２８の両膨出部同士の間に位置することで閉塞される。
【００１６】
ピストンガイド１７は、ステム１１の下部内に嵌合された装着部３１を備える。装着部３１は、ステム１１の下端開口から下方に突出している。装着部３１は、周方向に間隔をあけて配置されるとともに、ステム１１の下部内に嵌合された複数の分割周壁と、複数の分割周壁における周方向の中央部から各別に径方向の内側に向けて突出し、軸線Ｏ上で互いに連結されたリブと、を備える。リブは、分割周壁における軸線Ｏ方向の全域にわたって配設されている。
【００１７】
ピストンガイド１７は、装着部３１の下端部から下方に向けて突出する栓部１３を備える。栓部１３は有頂筒状に形成されている。なお栓部１３は、中実に形成されてもよい。栓部１３の天壁部から装着部３１が上方に向けて延びている。栓部１３の周壁部は、装着部３１の分割周壁より径方向の外側に位置している。栓部１３の周壁部の外周面に、シリンダ１５の摺動筒部１５ａの内周面に近接する近接突起１３ａが周方向に間隔をあけて複数形成されている。近接突起１３ａにおける径方向の外端部は、シリンダ１５の収容筒部１５ｂの内周面より径方向の外側に位置している。ピストンガイド１７が下降端位置に位置した状態で、近接突起１３ａは、シリンダ１５の内面において、摺動筒部１５ａと収容筒部１５ｂとの間に位置する段部に当接する。近接突起１３ａは、栓部１３の周壁部における軸線Ｏ方向の中間部に配設されている。
【００１８】
栓部１３の周壁部において、近接突起１３ａより下方に位置する下部は、ピストンガイド１７が押下ヘッド１６およびステム１１とともに下降端位置に位置したときに、収容筒部１５ｂ内に着脱可能に嵌合され、この収容筒部１５ｂ内と摺動筒部１５ａ内との連通を遮断する。
栓部１３内に付勢手段１９の上端部が配設されている。内容物の吐出後、ステム１１を上方に復元移動させる際に、栓部１３の天壁部が、ピストン１４の下端部に係合し、ピストン１４を上方に復元移動させる。
【００１９】
下部弁体１８は、シリンダ１５内において、ピストンガイド１７の下方に位置する部分に配設されている。下部弁体１８は収容筒部１５ｂ内に配設されている。図示の例では、下部弁体１８の上端部は、摺動筒部１５ａの下端部内に位置している。
下部弁体１８は、収容筒部１５ｂ内に嵌合された嵌合部３３と、嵌合部３３の内側に配設され、シリンダ１５の下端開口を開閉する弁本体３４と、を備える。
【００２０】
嵌合部３３は、収容筒部１５ｂの下端部内に嵌合された下部３３ａと、下部３３ａより上方に位置する上部３３ｂと、を備える。
上部３３ｂは、下部３３ａより径方向の内側に位置している。上部３３ｂは、軸線Ｏを径方向に挟む両側に配置され、互いに対向する一対の側板と、これらの側板同士を連結する中板と、側板および中板の各上端部に一体に連結された頂板と、を備える。軸線Ｏ方向から見て、一対の側板および中板は全体でＨ字状を呈し、頂板は、一対の側板に外接する円形状を呈する。一対の側板および中板それぞれの軸線Ｏ方向の長さは互いに同等となっている。一対の側板および中板それぞれの軸線Ｏ方向の位置は互いに同等になっている。
下部３３ａは、下端部に位置し全周にわたって連続して延びる環状体と、環状体と上部３３ｂにおける一対の側板とを各別に連結する一対の連結板と、を備える。連結板は、環状体の上端開口縁と、側板の下端縁と、を連結し、上方を向く座面３３ｃを有する。
【００２１】
弁本体３４は、軸線Ｏ方向から見て円形状に形成され、軸線Ｏと同軸に配置されている。弁本体３４は、収容筒部１５ｂの内面における、収容筒部１５ｂの下端開口の周縁部（以下、弁座という）１２に、上方に向けて離反可能に載置されている。弁座１２は、収容筒部１５ｂの内面から上方に向けて突出し、軸線Ｏと同軸に配置された円環状に形成されている。弁本体３４は、嵌合部３３の下部３３ａの内側に配設されている。弁本体３４は、嵌合部３３の下部３３ａにおける前記環状体の内周面に、弾性変形可能な連結片１８ａを介して連結されている。連結片１８ａは１つ配設され、弁本体３４を片持ち支持している。連結片１８ａは、図２に示されるように、軸線Ｏ方向から見て、径方向に延びる長方形状を呈する板状に形成されている。連結片１８ａの長さは弁本体３４の直径より短い。連結片１８ａは、弁本体３４より薄肉に形成され、弁本体３４の外周縁における上部に連結されている。
嵌合部３３において、上部３３ｂが付勢手段１９の内側に挿入され、座面３３ｃに、付勢手段１９の下端部が配設されている。付勢手段１９は、ステム１１およびピストンガイド１７を一体に上方に向けて付勢する。
【００２２】
下部弁体１８は、シリンダ１５内の加圧時に、シリンダ１５の下端開口を閉塞したままに維持し、シリンダ１５内の減圧時に、シリンダ１５の下端開口を開放する逆止弁となっている。これにより、シリンダ１５内の加圧時に、シリンダ１５内の内容物がシリンダ１５の下端開口から容器本体Ｗ内に戻ることが阻止され、シリンダ１５内の減圧時に、容器本体Ｗ内の内容物がシリンダ１５の下端開口から弁座１２の内側を通してシリンダ１５内に流入する。
【００２３】
押下ヘッド１６は、ステム１１の上端部に嵌合された嵌合筒１６ｂと、嵌合筒１６ｂから径方向の外側に向けて突出し、その先端に吐出孔１６ａが形成された吐出筒１６ｃと、嵌合筒１６ｂを径方向の外側から囲う螺着筒１６ｄと、を備える。吐出筒１６ｃは、螺着筒１６ｄを径方向に貫いている。嵌合筒１６ｂの上部は、ステム１１の上端部から上方に突出しており、この上部に、径方向の外側に向けて突出し、ステム１１の上端開口縁に当接した係止突起１６ｅが形成されている。係止突起１６ｅの径方向の外端は、ステム１１の上端開口縁よりも径方向の外側に位置している。
【００２４】
規制筒２２は、シリンダ１５の上端部に外嵌された外嵌筒２２ａと、下降端位置に位置する押下ヘッド１６の螺着筒１６ｄが螺着される雄ねじ筒２２ｂと、を備える。雄ねじ筒２２ｂのうち、下部がシリンダ１５の上端部内に挿入され、かつ上部がシリンダ１５の上端部から上方に突出しており、この上部の外周面に雄ねじ部が形成されている。雄ねじ筒２２ｂの下部の外周面、およびシリンダ１５の上端部の内周面にはそれぞれ、互いに係合する回り止め部が形成されている。
【００２５】
ここで、規制筒２２の雄ねじ筒２２ｂ、およびシリンダ１５の摺動筒部１５ａそれぞれの内周面と、ステム１１の外周面と、の間に、押下ヘッド１６が下降端位置に位置しているときに、シリンダ１５の導入孔２０を閉塞する閉塞筒２３が配設されている。
【００２６】
閉塞筒２３の下端部に、シリンダ１５内に摺動自在に嵌合された閉塞筒部２３ａが形成されている。閉塞筒部２３ａは、押下ヘッド１６およびステム１１が上昇端位置に位置する待機時に、雄ねじ筒２２ｂより下方に突出し、シリンダ１５の内周面に当接している。この際、閉塞筒部２３ａの下端開口縁と、ピストン１４の外筒２８の上端開口縁と、が当接している。一方、ステム１１および押下ヘッド１６が下降端位置に位置して、押下ヘッド１６が規制筒２２に螺着された状態では、閉塞筒部２３ａは、シリンダ１５の導入孔２０を閉塞する。図示の例では、閉塞筒部２３ａにおける上端部および下端部にそれぞれ、径方向の外側に向けて膨出する膨出部が形成されており、押下ヘッド１６が規制筒２２に螺着された状態で、導入孔２０が、閉塞筒部２３ａの両膨出部同士の間に位置することで閉塞される。ステム１１の外周面と、閉塞筒２３の内周面と、の間に、外部とピストン１４の外筒２８の内周面側とを連通する導入通路２５が形成されている。前述の待機時に、閉塞筒２３の上端部は、規制筒２２の雄ねじ筒２２ｂより上方に位置している。
【００２７】
以上のように構成された吐出器１の使用方法について説明する。
【００２８】
押下ヘッド１６を押下して、ステム１１およびピストンガイド１７とともに下降移動させると、まず、ピストンガイド１７の栓部１３における天壁部が、ピストン１４の内筒２９の下端部から下方に離れて、シリンダ１５内とステム１１内とが連通し、また、ステム１１の下端部が、ピストン１４の連結部２７に当接する。さらに、この下降移動を継続すると、弁本体３４が弁座１２の内側を閉塞したままの状態で、ピストン１４も下降移動することで、ピストン１４が導入孔２０から下方に離間しつつ、シリンダ１５内の内容物が加圧される。これにより、シリンダ１５内の内容物が、ピストンガイド１７における周方向で互いに隣り合う近接突起１３ａ同士の間を通して、ステム１１内に流入し、吐出孔１６ａから吐出される。
【００２９】
次に、押下ヘッド１６の押下を解除すると、付勢手段１９の上方付勢力によって、ピストンガイド１７、ステム１１、および押下ヘッド１６が一体に上昇する。この過程において、ピストンガイド１７の栓部１３における天壁部が、ピストン１４の内筒２９の下端部に係合し、ピストン１４も上昇する。
これにより、シリンダ１５内が減圧することで、下部弁体１８がシリンダ１５の下端開口を開放し、容器本体Ｗ内の内容物が、吸い上げパイプ１５ｅを通してシリンダ１５内に流入する。また、ピストン１４の外筒２８がシリンダ１５の導入孔２０を覆う。
ここで、シリンダ１５内の減圧時に、下部弁体１８の弁本体３４は、上下面が軸線Ｏに対して傾斜するように、連結片１８ａ回りに上方に向けて回動する。
【００３０】
以上説明したように、本実施形態による吐出器１によれば、弁本体３４が、片持ち支持されているので、容器本体Ｗ内の内容物がシリンダ１５内に流入する際に、弁本体３４が、片持ち支持された一端部回りに上方に向けて回動することとなり、弁本体３４のうち、弁座１２の中心軸線を挟む前記一端部の反対側に位置する他端部を、弁座１２から上方に向けて大きく離反させることが可能になり、シリンダ１５内に流入する内容物に及ぼされる流通抵抗を抑えることができる。
また、弁本体３４が、全周にわたって断続的に支持されているのではなく、片持ち支持されていることから、弁本体３４を支持する連結片１８ａの寸法が、弁本体３４の、弁座１２に対する上方に向けた離反ストロークに及ぼす影響を抑えることが可能になり、シリンダ１５の内径を拡げなくても、この離反ストロークを維持しつつ、弁座１２の内径および弁本体３４の外径を大きくすることができる。
以上より、押下ヘッド１６およびステム１１を押下して内容物を吐出した後に、押下ヘッド１６等を円滑に上方に復帰させることができる。
【００３１】
本発明は上記した実施の形態に限定されるものではなく、その趣旨を逸脱しない範囲で適宜変更可能である。
【００３２】
例えば  前記実施形態では、連結片１８ａが１つ配設された構成を示したが、図３に示されるように、周方向に間隔をあけて２つ、あるいは図４に示されるように、周方向に間隔をあけて３つ配設された構成を採用してもよい。弁本体３４を片持ち支持する構成であれば、連結片１８ａは複数配設してもよい。図示の例では、複数の連結片１８ａは、軸線Ｏ方向から見て互いに平行となるように配置されている。複数の連結片１８ａは、弁本体３４の外周縁のうち、軸線Ｏを中心とする約９０°の角度範囲内に位置する部分に配設されている。
また、前記実施形態では、規制筒２２として、下降端位置に位置する押下ヘッド１６が着脱可能に螺着される構成を示したが、これに限らず例えば、押下ヘッドが着脱可能にアンダーカット嵌合される構成にする等、適宜変更してもよい。
また、規制筒２２および閉塞筒２３を有しない構成を採用してもよい。
また、前記実施形態では、弁本体３４が、嵌合部３３の下部３３ａにおける前記環状体の内周面に連結された構成を示したが、環状以外の他の形態の部材に連結されてもよい。
【００３３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００３４】
１  吐出器
１１  ステム
１２  弁座
１４  ピストン
１５  シリンダ
１６  押下ヘッド
１６ａ  吐出孔
１８  下部弁体
２１  装着キャップ
２４  ポンプ
３４  弁本体
Ｗ  容器本体
Ｗ１  口部
【図１】
2019081565.tif 000003
【図２】
2019081565.tif 000004
【図３】
2019081565.tif 000005
【図４】
2019081565.tif 000006